(57)【要約】【課題】解決しようとする問題点は、再生する動画の出力方式が規定されていない場合か、再生する動画の出力方式とテレビの出力方式が異なる場合に、再生装置の処理量の制約によりテレビの周波数、またはデフォルトの周波数で出力することができない場合があることである。特に、再生する動画の一秒間のフレーム数が再生する映像方式の同期周波数より大きい場合に、全てのフレームを出画しながらＡＶ同期、すなわち映像と音声の同期をあわせることができないことである。【解決手段】ＡＶ同期を合わせて再生できる方法を再生装置が自動で選択するか、それが不可能であればユーザに選択させることにより実現する。ＡＶ同期を合わせて再生させる方法は、フレームを間引くかＡＶ同期可能な同期周波数で再生することである。【選択図】図１
2005333419.tif 000002
【特許請求の範囲】
【請求項１】
異なる信号方式で記録された記録媒体を再生可能な動画再生装置であって、前記記録媒体から再生した映像信号のフレーム調整を行うフレーム調整手段と、前記フレーム調整手段でフレーム調整された映像信号を表示装置にて表示可能な信号にエンコードするエンコード手段とを備え、前記記録媒体の再生時、映像信号と音声信号とが時間的に同期しない場合、前記フレーム調整手段で映像信号のフレーム数の増減を行うことを特徴とする動画再生装置。
【請求項２】
映像信号の出力方式をユーザが選択できることを特徴とする請求項１記載の動画再生装置。
【請求項３】
映像信号の出力方式か、再生装置が自動で最適な設定を行うモードかをユーザが選択できることを特徴とする請求項２記載の動画再生装置。
【請求項４】
再生する動画の映像信号の出力方式が規定されていない場合か、再生する動画の映像出力方式と表示装置の出力方式が異なる場合に、表示装置の出力方式で最適なフレーム処理を行うことを特徴とする請求項１記載の動画再生装置。
【請求項５】
再生する動画の映像信号の出力方式が規定されていない場合か、再生する動画の映像出力方式と表示装置の出力方式が異なる場合に、自動で最適な出力方式で再生することを特徴とする請求項１記載の動画再生装置。
【請求項６】
再生する動画の映像信号の出力方式が規定されていない場合か、再生する動画の映像出力方式と表示装置の出力方式が異なる場合に、表示装置の出力方式で最適なフレーム処理を行うが、それが不可能な場合は最適な映像出力方式に変更して再生することを特徴とする請求項１記載の動画再生装置。
【発明の詳細な説明】
【技術分野】
【０００１】
本発明は、再生する動画の映像信号の出力方式が規定されていない場合か、再生する動画の映像出力方式とテレビの出力方式が異なる場合の再生方法に関するものである。
【背景技術】
【０００２】
従来、動画再生装置はＮＴＳＣ方式またはＰＡＬ方式が規定されているＭＰＥＧ１、ＭＰＥＧ２に準拠した動画に関して、再生する動画の出力方式とテレビの出力方式が異なる場合にテレビの出力方式のアスペクト比と周波数に合わせて再生させる方法が知られている（例えば、特許文献１参照。）。
【特許文献１】特開平７−２９８１６０号公報（第５−７頁、図１）
【発明の開示】
【発明が解決しようとする課題】
【０００３】
解決しようとする問題点は、再生する動画の出力方式が規定されていない場合か、再生する動画の出力方式とテレビの出力方式が異なる場合に、再生装置の処理量の制約によりテレビの周波数、またはデフォルトの周波数で出力することができない場合があることである。特に、再生する動画の一秒間のフレーム数が再生する映像方式の同期周波数より大きい場合に、全てのフレームを出画しながらＡＶ同期、すなわち映像と音声の同期をあわせることができないことである。
【課題を解決するための手段】
【０００４】
本発明は、ＡＶ同期を合わせて再生できる方法を再生装置が自動で選択するか、それが不可能であればユーザに選択させることにより実現する。ＡＶ同期を合わせて再生させる方法は、フレームを間引くか異なる同期周波数で再生することである。
【発明の効果】
【０００５】
再生装置の処理量の制約がある場合でも正しいＡＶ同期で再生することができるようになる。
【発明を実施するための最良の形態】
【０００６】
再生装置の処理量の制約がある上で、より品位良くＡＶ同期を合わせる方法を選択することにある。
【０００７】
本発明の請求項１に記載の発明は、映像信号の出力方式ＮＴＳＣまたはＰＡＬをユーザが選択できる動画再生装置としたものであり、再生装置が最適な出力方式を選択できない場合でもＡＶ同期を合わせることができるという作用を有する。
【０００８】
請求項２に記載の発明は、映像信号の出力方式か、再生装置が自動で最適な設定を行うモードをユーザが選択できる動画再生装置としたものであり、例えば通常は自動モードの設定にしておき、特定の動画のみ固定の出力方式で再生することができるという作用を有する。
【０００９】
請求項３に記載の発明は、再生する動画の映像信号の出力方式が規定されていない場合か、再生する動画の映像出力方式とテレビの出力方式が異なる場合に、テレビの出力方式で最適なフレーム処理を行う動画再生装置としたものであり、テレビの出力方式に合わせて再生ができるという作用を有する。
【００１０】
請求項４に記載の発明は、再生する動画の映像信号の出力方式が規定されていない場合か、再生する動画の映像出力方式とテレビの出力方式が異なる場合に、自動で最適な出力方式で再生する動画再生装置としたものであり、再生装置による処理量の制約もなく対応できるという作用を有する。
【００１１】
請求項５に記載の発明は、再生する動画の映像信号の出力方式が規定されていない場合か、再生する動画の映像出力方式とテレビの出力方式が異なる場合に、テレビの出力方式で最適なフレーム処理を行うが、それが不可能な場合は最適な映像出力方式に変更して再生する動画再生装置としたものであり、自動でより品位の良い出力方法から選択されるという作用を有する。
【００１２】
（実施の形態１）
図１は本発明の実施の形態における再生装置の構成を示し、図１において、１はディスクなど記録媒体であり、本実施の形態ではディスク状の媒体としているが、これに限定されるものではなくテープ状媒体や半導体メモリ媒体であっても構わない。そしてこの記録媒体には少なくとも動画などの映像音声信号が記録されている。２は記録媒体１に記録された動画を読み出して再生する再生部で、記録媒体１からの読み出し手段は特に図示していないが、例えば記録媒体がディスク状媒体である場合は光ピックアップなどを用いて読み出される。３〜６は再生部の内部の詳細で、３は記録媒体１から読み出された動画をデコードするデコーダ、４はデコーダ３でデコードされた動画においてＡＶ同期を行うために映像のフレーム調整を行うフレーム調整部、５はフレーム調整部４から出力される動画を表示装置に表示可能なようにエンコードするビデオエンコーダ、６は同期方式と映像出力方式の選択部、７はビデオエンコーダ５から出力される動画を映出可能なテレビジョン受像機などの表示部である。
【００１３】
以上のように構成された本実施の形態の動画再生装置について、以下その動作について説明する。
【００１４】
まず、記録媒体１に記録された動画を光ピックアップなどの読み出し手段（図示せず）にて読み出し、デコーダ３に入力する。デコーダ３では記録媒体１から読み出された動画のデコード処理を行い、フレーム調整部４に出力する。フレーム調整部４ではＡＶ同期を行うために映像信号のフレーム調整を行う。フレーム調整部４から出力された動画は、ビデオエンコーダ５に入力され、表示部７にて表示可能な信号にエンコードして出力する。出力された動画信号はテレビジョン受像機などの表示部７に出力され、表示される。ここで、選択部６により、同期方式および出力方式を選択することにより、フレーム調整部４とビデオエンコーダ５の設定が決定する。
【００１５】
再生する動画の映像信号の出力方式が規定されていない場合で、選択部６における同期方式と出力方式の決定は、図２と図３のフローチャートで表される。まず、出力周波数をユーザが設定するか否かについて判断する（ステップ２２）。出力周波数をユーザが選択する場合は、そのユーザ選択に従って設定し（ステップ２３）、再生装置側では判別処理などは行わない。
【００１６】
次に、ステップ２２において出力周波数をユーザが選択しない場合は、再生装置側がステップ２５で自動選択を行う。ステップ２５の自動選択方式は、図３のフローチャートで示される。まず、図３においてステップ３２のデフォルト設定の状態で再生動作を行い、正常再生が可能な場合は設定を行わない（ステップ３３）。次に、ステップ３２において再生動作を行った際、正常再生ができなかった場合はフレーム間引きによる再生を行う（ステップ３４）。フレームの間引きによってＡＶ同期が可能な場合は、ステップ３５のようにフレーム間引き設定を行う。一方、ステップ３４においてフレーム間引きによるＡＶ同期が不可能な場合は、ステップ３７で示すように出力を別の同期周波数に変更することでＡＶ同期を合わせた再生を行う。
【００１７】
上述の処理を具体的に示したのが図４と図５のフローチャートである。
【００１８】
まず、ステップ４２において動画データの方式に関わらず、ＮＴＳＣ方式に固定して再生を行い、正常に再生されたかどうかを判断する。１秒間のフレーム数が「２５」を超える動画は、本来ＮＴＳＣ方式のものであるが、このような動画を５０ｋＨｚのＰＡＬ方式で出力する場合、全フレームをデコードしたものをそのままの同期で出力すると、音声に対して映像が時間的に遅れ、ＡＶ同期が合わない。ステップ４２において正常に再生されれば問題ないが（ステップ４３）、正常に再生されない場合はステップ４４へ移行する。ステップ４４で、映像出力方式（ＮＴＳＣかＰＡＬ）をユーザが選択するか否かについて判断し、ユーザが選択する場合は、その選択結果に従って出力する（ステップ４５）。ステップ４４においてユーザが出力方式を選択しない場合は、再生装置側でステップ４７の自動選択を行う。ステップ４７の自動選択方式は図５のフローチャートで示される。
【００１９】
デフォルト設定がＮＴＳＣ方式の場合は問題ない。ＰＡＬ方式の場合、ＰＡＬ方式でのＡＶ同期処理が可能かどうかを判別する。
【００２０】
ＰＡＬ方式でも５６の１秒間のフレーム数が２５以下の場合はそのままの設定で問題ない。次に、フレーム間引きが可能かどうかを確認する。動画中のＢピクチャでフレーム間引き処理を行う場合、Ｂピクチャが存在しない動画の場合はフレーム間引きが行えない。よって、Ｂピクチャが存在するかどうかでフレーム間引き可能かどうかを判別し、可能であればフレーム間引き処理によってＡＶ同期を合わせる。フレーム間引き処理が不可能、すなわちＢピクチャが存在しない場合、ＰＡＬ方式でＡＶ同期を合わせることが出来ないため、ＮＴＳＣ方式に出力を変更する。
【００２１】
以上のように本実施の形態によれば、ＰＡＬ方式でそのままではＡＶ同期が合わない動画の場合でも、動画に応じた最適な出力方法を選択するかユーザが出力方式を選択することによってＡＶ同期を合わせることが可能になるという有益な効果が得られる。
【産業上の利用可能性】
【００２２】
映像信号方式がＮＴＳＣかＰＡＬで規定されているテレビモニターに出力させる動画再生装置において、一秒間のフレーム数が規定されていない動画を再生させる場合に有用であり、特にＮＴＳＣ方式で記録された動画をフレーム数が規定されていない動画方式で録画し、それをＰＡＬ方式で再生させる場合に適している。
【図面の簡単な説明】
【００２３】
【図１】本発明の一実施の形態による動画再生装置の構成を示すブロック図
【図２】本発明の一実施の形態による同期方式・出力方式選択のフローチャート
【図３】本発明の一実施の形態による同期方式・出力方式選択フローチャート中の自動選択のフローチャート
【図４】本発明の一実施の形態による同期方式・出力方式選択のフローチャート
【図５】本発明の一実施の形態による同期方式・出力方式選択フローチャート中の自動選択のフローチャート
【符号の説明】
【００２４】
１    記録媒体
２    動画再生部
３    デコーダ
４    フレーム調整部
５    ビデオエンコーダ
６    同期方式・出力方式選択部
７    表示部
【図１】
2005333419.tif 000003
【図２】
2005333419.tif 000004
【図３】
2005333419.tif 000005
【図４】
2005333419.tif 000006
【図５】
2005333419.tif 000007